(57)【要約】  本発明は、無線ネットワーク装置およびそれを用いたチャネル移動方法に関し、より詳しくは、無線ネットワークの間の干渉を防止することができるように通信チャネルを移動できる無線ネットワーク装置およびそれを用いた通信チャネル移動方法に関するものである。本発明の実施形態に係る無線ネットワーク装置は、所定機器に伝送されるビーコンフレームの伝送有無を判断するビーコンフレームチェック部と、前記判断結果に応じて他のチャネルを検索するチャネル検索部と、前記検索結果に従うチャネルに移動する第１チャネル移動部とを含む。
2008511242.tif 000002
【特許請求の範囲】
【請求項１】
所定機器に伝送されるビーコンフレームの伝送有無を判断するビーコンフレームチェック部と、
前記ビーコンフレーム判断部の判断結果に応じて他のチャネルを検索するチャネル検索部と、
前記チャネル検索部の検索結果に従うチャネルに移動する第１チャネル移動部とを含む、無線ネットワーク装置。
【請求項２】
前記検索結果に従うチャネルに関するチャネル情報を格納する第１メモリ部をさらに含む、請求項１に記載の無線ネットワーク装置。
【請求項３】
前記ビーコンフレームチェック部は、前記ビーコンフレームの伝送時に発生するビーコンフレームの伝送割込によって前記伝送有無を判断する、請求項２に記載の無線ネットワーク装置。
【請求項４】
前記チャネル検索部は、前記ビーコンフレームの伝送失敗回数が基準失敗回数を超過する場合、事前に指定された検索条件に従って他のチャネルを検索する、請求項３に記載の無線ネットワーク装置。
【請求項５】
前記チャネル検索部は、前記第１メモリ部に格納されたチャネル情報を前記検索されたチャネル情報に更新する、請求項３に記載の無線ネットワーク装置。
【請求項６】
前記第１チャネル移動部は、前記チャネル情報を前記無線ネットワーク装置が属する無線ネットワークに存在するステーションに伝送する請求項２に記載の無線ネットワーク装置。
【請求項７】
所定機器からチャネル情報を受信するチャネル情報受信部と、
前記受信されたチャネル情報を格納する第２メモリ部と、
前記格納されたチャネル情報に該当するチャネルに移動する第２チャネル移動部とを含む、無線ネットワーク装置。
【請求項８】
前記チャネル情報は、前記チャネル情報を送信する機器から伝送されるビーコンフレームの伝送失敗回数が基準失敗回数を超過する場合に受信する、請求項７に記載の無線ネットワーク装置。
【請求項９】
前記第２チャネル移動部は、前記チャネル情報を送信した機器と同一のチャネルに移動させる、請求項８に記載の無線ネットワーク装置。
【請求項１０】
所定機器に伝送されるビーコンフレームの伝送有無を判断するステップと、
前記判断結果に応じて他のチャネルを検索するステップと、
前記検索結果に従うチャネルに移動するステップとを含む、無線ネットワーク装置を用いたチャネル移動方法。
【請求項１１】
前記ビーコンフレームの伝送有無は、前記ビーコンフレームの伝送時に発生するビーコンフレームの伝送割込によって判断される、請求項１０に記載の無線ネットワーク装置を用いたチャネル移動方法。
【請求項１２】
前記チャネルを検索するステップは、前記ビーコンフレームの伝送失敗回数が基準失敗回数を超過する場合、事前に指定された検索条件に従って他のチャネルを検索する、請求項１１に記載の無線ネットワーク装置を用いたチャネル移動方法。
【請求項１３】
前記チャネルを検索するステップは、前記検索されたチャネルに関するチャネル情報を格納するステップを含む、請求項１２に記載の無線ネットワーク装置を用いたチャネル移動方法。
【請求項１４】
前記無線ネットワーク装置が属する無線ネットワークに存在するステーションに前記チャネル情報を伝送するステップをさらに含む、請求項１２に記載の無線ネットワーク装置を用いたチャネル移動方法。
【請求項１５】
所定機器からチャネル情報を受信するステップと、
前記受信されたチャネル情報を格納するステップと、
前記格納されたチャネル情報に該当するチャネルに移動するステップとを含む、無線ネットワーク装置を用いたチャネル移動方法。
【請求項１６】
前記チャネル情報は、前記チャネル情報を送信する機器から伝送されるビーコンフレームの伝送失敗回数が基準失敗回数を超過する場合に受信する、請求項１５に記載の無線ネットワーク装置を用いたチャネル移動方法。
【請求項１７】
前記チャネルを移動するステップは、前記チャネル情報を送信した機器と同一のチャネルに移動させる、請求項１６に記載の無線ネットワーク装置を用いたチャネル移動方法。
【発明の詳細な説明】
【技術分野】
【０００１】
本発明は、無線ネットワーク装置およびそれを用いた通信チャネル移動方法に関し、より詳しくは、無線ネットワークの間の干渉を防止することができるように通信チャネルを移動できる無線ネットワーク装置およびそれを用いた通信チャネル移動方法に関するものである。
【背景技術】
【０００２】
無線ＬＡＮは、一般的なＬＡＮのように床に配線をせず、一定の距離内にあるステーションどうしのデータを送受信できるネットワーク網として無線ＬＡＮ内におけるステーションの移動が自在である。
【０００３】
一般に、ＩＥＥＥ  ８０２．１１無線ＬＡＮネットワークの基本構成はＢＳＳ（Ｂａｓｉｃ  Ｓｅｒｖｉｃｅ  Ｓｅｔ）であり、前記ＢＳＳは独立ネットワーク（ＩＢＳＳ：Ｉｎｄｅｐｅｎｄｅｎｔ  Ｂａｓｉｃ  Ｓｅｒｖｉｃｅ  Ｓｅｔ）およびインフラストラクチャーネットワーク（Ｉｎｆｒａｓｔｒｕｃｔｕｒｅ  ＢＳＳ）からなる。
【０００４】
インフラストラクチャーネットワークでアクセスポイント（ＡＰ：Ａｃｃｅｓｓ  Ｐｏｉｎｔ）は、ビーコンフレームの伝送を担当する。ビーコンフレームが表れる領域は、基本サービス領域を定義する。
【０００５】
反面、ＩＢＳＳネットワークは、ＡＰを用いない８０２．１１ネットワークであって、ＢＳＳ内にある他のステーションと直接通信するアドホックネットワークを意味する。
【０００６】
一方、ＩＥＥＥ  ８０２．１１標準で提案する伝送媒体に対するアクセスは、ＤＣＦ（Ｄｉｓｔｒｉｂｕｔｅｄ  Ｃｏｏｒｄｉｎａｔｉｏｎ  Ｆｕｎｃｔｉｏｎ）とＰＣＦ（Ｐｏｉｎｔ  Ｃｏｏｒｄｉｎａｔｉｏｎ  Ｆｕｎｃｔｉｏｎ）とを用いる。
【０００７】
図１は、ＰＣＦ方式によりステーション間にデータを伝送する過程を示す図面である。一般的にこのようなＰＣＦ方式はＤＣＦ方式と共に使われ、ＰＣＦ区間が終わればＤＣＦ区間が始まり、全体が１つの繰り返し区間（ＣＦＰ繰り返し区間）をなす。
【０００８】
ここで、Ｄ１、Ｄ２などはポイントコーディネイタから送ったフレームを意味し、Ｕ１、Ｕ２などはポールを受けたステーションから送ったフレームを意味する。ＰＣＦルールに従う無競争区間（Ｃｏｎｔｅｎｔｉｏｎ−Ｆｒｅｅ  Ｐｅｒｉｏｄ）は、先ずポイントコーディネイタがビーコンを伝送することによって開始される。
【０００９】
ＡＰに存在するポイントコーディネイタが、各ステーションに送るデータがあるかを尋ねるポーリング過程は、ステーションごとにラウンドロビン（Ｒｏｕｎｄ−Ｒｏｂｉｎ）方式によって進められる。
【００１０】
ポイントコーディネイタでポーリングをすると、ポーリングを受けたステーションは、データおよびＡＣＫ（ａｃｋｎｏｗｌｅｄｇｅ）をポイントコーディネイタに送信する。そうすると、ポイントコーディネイタは前記データおよびＡＣＫを受信するステーションに送信して前記データを受信するステーションにポーリングをする。
【００１１】
前記ポーリングを受けたステーションは、再びＡＣＫをポイントコーディネイタに送信して、送るデータがあれば共に送信する。このような方式によって無競争区間（Ｃｏｎｔｅｎｔｉｏｎ−Ｆｒｅｅ  Ｐｅｒｉｏｄ、ＣＦＰ）の間ステーション間にデータを送受信する。
【００１２】
図２は、ＤＣＦ方式のバックオフ手続きを示す図面である。
ＰＣＦは競争のないサービスを提供する一方、ＤＣＦは競争基盤のサービスを提供する。ＤＣＦは衝突防止のために、循環するバックオフウィンドウメカニズムを用いる。
【００１３】
ＤＣＦで媒体の使用有無を判断する基準は、ＤＩＦＳ（ＤＣＦ  Ｉｎｔｅｒ  Ｆｒａｍｅ  Ｓｐａｃｅ；約３４μｓ）である。
【００１４】
図に示すように、ＤＣＦ方式の競争区間（Ｃｏｎｔｅｎｔｉｏｎ  Ｐｅｒｉｏｄ；ＣＰ）は、ＤＩＦＳ期間の次に所定の大きさの競争ウィンドウ区間が設けられてバックオフアルゴリズムによって選択される確率が、同一のランダムスロットの大きさがＩＢＳＳ内の競争に参加したステーションに各々割り当てられる。
【００１５】
現在のチャネルを用いているステーションＡのフレームの伝送が終了すれば、フレームの伝送を延期しているステーションＢ、ＣおよびＤがＤＩＦＳ以後のチャネル確保のための競争に参加する。先ず、一番目の競争ウィンドウ区間で最小のバックオフ時間を選択したステーションＣのバックオフタイマが０になって、フレームの伝送が始まる。
【００１６】
次にＤＩＦＳ区間以後、２番目の競争ウィンドウ区間では、ステーションＢ、ＤおよびＥが競争に参加して上記と同一の過程を行い、ステーションＤが伝送媒体を確保してフレームの伝送を開始する。
【００１７】
３番目の競争ウィンドウ区間では、ステーションＢおよびＥが競争に参加して上記と同一の過程を行い、ステーションＥが伝送媒体を確保してフレームを伝送する。
【００１８】
４番目の競争ウィンドウ区間では、ステーションＢのみが競争に参加して上記と同一の過程を行い、ステーションＢが伝送媒体を確保してフレームを伝送する。
【００１９】
一方、デジタル製品の拡散と発展に従い、デジタル技術は１００Ｍｂｉｔｓ／ｓｅｃを超える高速無線ＬＡＮ（Ｗｉｒｅｌｅｓｓ  Ｌｏｃａｌ  Ａｒｅａ  Ｎｅｔｗｏｒｋ）の開発を要求している。このような開発要求を充足させられる次世代無線ＬＡＮの高速化技術の候補のうちの１つとして認識されているものが、多重入力／多重出力（ＭＩＭＯ、Ｍｕｌｔｉｐｌｅ  Ｉｎｐｕｔ  Ｍｕｌｔｉｐｌｅ  Ｏｕｔｐｕｔ）技術である。
【００２０】
この時、所定チャネルを複数のＢＳＳまたはＩＢＳＳが用いる場合、各ステーションはデータを伝送する機会を得ることが難しくなるという問題点がある。
【００２１】
したがって、伝送されるデータの衝突確率が増加するようになり、それによって全体の帯域幅が減少してパケット損失が発生する問題点がある。
【００２２】
具体的に、図３に示すように、２つのＢＢＳが１つのチャネルを共用する場合、各ＢＢＳに含まれたステーションのデータ伝送率１０，２０および全体帯域幅３０が減少するようになる。
【００２３】
したがって、所定のチャネルを用いる複数の無線ネットワークが存在する場合、これを検出してより良いチャネルに移動し、データ伝送に必要な帯域幅を確保してパケット損失を防止する方案が要求されている。
【００２４】
特許文献１では、無線近距離ネットワークのための動的周波数の選択をＢＳＳおよびＩＢＳＳ構造を統合することによって、ＩＢＳＳネットワーク内のＤＦＳ所有者のＳＴＡは、ゼロのＤＦＳカウント値を有するビーコンを受信した直後、可能であれば新しいチャネルの選択ができるようにするために、チャネル測定を実行する基本サービスセット無線ネットワーク対して復旧する動的周波数選択を開示しているが、これは所定チャネルに用いる複数の無線ネットワークが存在する場合、帯域幅確保およびパケット損失を防止できる方案が未だ開示されていない。
【特許文献１】韓国公開特許第２００３−００５９１２２号公報
【発明の開示】
【発明が解決しようとする課題】
【００２５】
本発明は、所定チャネルを複数の無線ネットワークが用いる場合、相互間の干渉を避けることのできる無線ネットワーク装置およびそれを用いた通信チャネル移動方法を提供することにその目的がある。
【００２６】
本発明の目的は、以上で言及した目的に制限されず、言及していないまた他の目的は下記記載によって当業者が明確に理解できるものである。
【課題を解決するための手段】
【００２７】
前記目的を達成するために、本発明の一態様に係る無線ネットワーク装置は、所定機器に伝送されるビーコンフレームの伝送有無を判断するビーコンフレームチェック部と、前記判断結果に応じて他のチャネルを検索するチャネル検索部と、前記検索結果に従うチャネルに移動する第１チャネル移動部とを含む。
【００２８】
また、前記目的を達成するために、本発明の他の態様に係る無線ネットワーク装置は、所定機器からチャネル情報を受信するチャネル情報受信部と、前記受信されたチャネル情報を格納する第２メモリ部と、前記格納されたチャネル情報に該当するチャネルに移動する第２チャネル移動部とを含む。
【００２９】
また、前記目的を達成するために、本発明のまた他の態様に係る無線ネットワーク装置を用いたチャネル移動方法は、所定機器に伝送されるビーコンフレームの伝送有無を判断するステップと、前記判断結果に応じて他のチャネルを検索するステップと、前記検索結果に従うチャネルに移動するステップとを含む。
【００３０】
また、前記目的を達成するために、本発明のまた他の態様に係る無線ネットワーク装置を用いたチャネル移動方法は、所定機器からチャネル情報を受信するステップと、前記受信されたチャネル情報を格納するステップと、前記格納されたチャネル情報に該当するチャネルに移動するステップとを含む。
【００３１】
その他、実施形態の具体的な事項は、詳細な説明および図面に含まれている。
【発明の効果】
【００３２】
上記のような本発明の無線ネットワーク装置およびそれを用いたチャネル移動方法によれば、現在用いられるチャネル状態を判断し、判断の結果チャネルの移動が要求される場合、他のチャネルに移動してデータの送受信がなされるために、他の無線ネットワークとの相互干渉を避けてデータのＱｏＳを保障できる効果がある。
【発明を実施するための最良の形態】
【００３３】
本発明の利点および特徴、そしてそれらを達成する方法は、添付する図面と共に詳細に後述する実施形態を参照すれば明確になる。しかし、本発明は以下にて開示する実施形態に限定されず、互いに異なる多様な形態によって実施され、単に本実施形態は本発明の開示が完全なものとなるようにし、本発明が属する技術分野で通常の知識を有する者に発明の範疇を完全に知らせるために提供されるものであって、本発明は請求項の範疇によってのみ定義されるものである。明細書の全体に亘り、同一参照符号は同一構成要素を示す。
【００３４】
以下、添付された図面を参照して、本発明の好ましい実施形態を詳細に、説明することにする。
【００３５】
図３は、本発明に適用される無線ネットワークを示している。
図に示すように、一般的に無線ネットワークは、複数の無線ネットワーク１１０，１２０を含むことができ、各無線ネットワーク１１０，１２０は互いに通信が行われる複数のステーション１１１，１１２，１２１，１２２を含むことができる。
【００３６】
本発明の実施形態では、複数の無線ネットワーク１１０，１２０がＩＥＥＥ  ８０２．１１ａ基盤のＢＳＳである第１無線ネットワーク１１０と非ＩＥＥＥ  ８０２．１１ａ基盤のＢＳＳである第２無線ネットワーク１２０からなる場合を例に挙げて説明する。
【００３７】
また、本発明の実施形態では、無線ネットワークがＢＳＳの場合を例に挙げて説明しているが、これらに限定されずにＩＢＳＳモードで動作する無線ネットワークにも適用することができる。
【００３８】
この時、第１無線ネットワーク１１０は、アクセスポイント１１１と、アクセスポイント１１１と所定チャネルを介してデータを送受信するステーション１１２とを含むことができる。
【００３９】
ＩＥＥＥ  ８０２．１１ａ基盤の第１無線ネットワーク１１０は、他の無線ネットワークとの衝突を防止するために搬送波感知多重アクセス（ＣＳＭＡ：Ｃａｒｒｉｅｒ  Ｓｅｎｃｅ  Ｍｕｌｔｉｐｌｅ  Ａｃｃｅｓｓ）の形態を用いる。
【００４０】
このようなＩＥＥＥ  ８０２．１１ａは、他の無線ネットワークとの干渉を減少させてより多い帯域幅を確保するために動的周波数選択（ＤＦＳ：Ｄｙｎａｍｉｃ  Ｆｒｅｑｕｅｎｃｙ  Ｓｅｌｅｃｔｉｏｎ）技法を用いることができる。
【００４１】
言い換えれば、ＩＥＥＥ  ８０２．１１ａ基盤の無線ネットワークの間には、ＤＦＳ技法によって送受信するデータのＱｏＳを保障することができるようにチャネルを移動することができる。
【００４２】
一方、第２無線ネットワーク１２０は、非ＩＥＥＥ  ８０２．１１ａ基盤のＢＳＳであるため、第１無線ネットワーク１１０は第２無線ネットワーク１２０の存在を認識することができない。
【００４３】
したがって、第１無線ネットワーク１１０でアクセスポイント１１１とステーション１１２との間にデータを送受信する場合、第２無線ネットワーク１２０が第１無線ネットワーク１１０と同一のチャネルを介してデータを送受信するようになれば、伝送するデータのＱｏＳを保障し難くなる。
【００４４】
図４は、本発明の実施形態に係る無線ネットワーク装置を示している。
図に示すように、本発明の実施形態に係る無線ネットワーク装置は、アクセスポイント２１０およびアクセスポイント２１０とデータを送受信するステーション２２０を含むことができる。
【００４５】
本発明の実施形態において、アクセスポイント２１０およびアクセスポイント２１０とデータを送受信するステーション２２０は、前述した図３の第１無線ネットワーク１１０でアクセスポイント１１１およびアクセスポイント１１１と所定チャネルとを介してデータを送受信するステーション１１２と理解することができる。
【００４６】
アクセスポイント２１０は、ステーション２２０に伝送されるビーコンフレームの伝送の有無を判断するビーコンフレームチェック部２１１と、判断結果に応じて他のチャネルを検索するチャネル検索部２１２と、検索されたチャネルに関するチャネル情報を格納する第１メモリ部２１３と、検索結果に従う該当チャネルにチャネルを移動する第１チャネル移動部２１３とを含むことができる。
【００４７】
参考として、ビーコンフレームは、フレーム制御、フレーム持続期間、目的地アドレス（ＤＡ：Ｄｅｓｔｉｎａｔｉｏｎ  Ａｄｄｒｅｓｓ）、ソースアドレス（ＳＡ：Ｓｏｕｒｃｅ  Ａｄｄｒｅｓｓ）、基本サービスセット識別（ＢＳＳＩＤ：Ｂａｓｉｃ  Ｓｅｒｖｉｃｅ  Ｓｅｔ  ＩＤｅｎｔｉｆｉｃａｔｉｏｎ）およびシーケンス制御情報などを含むことができる。
【００４８】
ビーコンフレームチェック部２１１は、ステーション２２０にビーコンフレームの伝送時に発生するビーコンフレームの割込によって実際にビーコンフレームが伝送されたか否かを判断することができる。
【００４９】
判断の結果、ビーコンフレームが伝送されない場合、ビーコンフレームチェック部２１１はビーコンフレームの伝送失敗回数をカウントすることができる。
【００５０】
チャネル検索部２１２は、ビーコンフレームチェック部２１１でカウントされたビーコンフレームの伝送失敗回数が基準失敗回数を超過する場合、現在のチャネルから他のチャネルに移動するためにデータを送受信することのできるチャネルを検索することができる。
【００５１】
具体的に、前述した図３で、第２無線ネットワーク１２０からマルチメディアデータを伝送する状況において、第１無線ネットワーク１１０のアクセスポイント１１１は、同一のチャネルを介してビーコンフレームを伝送する機会を失い、それによってビーコンフレームの伝送失敗が発生し得る。
【００５２】
この時、第２無線ネットワーク１２０が持続的にマルチメディアデータを伝送するようになれば、第１無線ネットワーク１１０のアクセスポイント１１１では繰り返しビーコンフレームの伝送失敗が発生し得る。
【００５３】
このように、ビーコンフレームの伝送失敗が繰り返し発生する場合、該当チャネルを介して送受信されるデータのＱｏＳを保障しにくいため、他のチャネルを検索する。
【００５４】
この時、チャネル検索部２１２は、事前に指定された条件に符合するチャネルを検索することができる。
【００５５】
例えば、チャネル検索部２１２は、現在のチャネルから最も遠距離に存在するか、隣接したチャネルが存在しないチャネルを検索することができるが、これらに限定されない。
このようなチャネル検索条件は、ネットワーク環境に応じて変更される。
【００５６】
一方、チャネル検索部２１２は、該当検索条件に符合するチャネルが検索されれば、検索されたチャネルのチャネル周波数、チャネルスイッチ時間などのようなチャネル情報を第１メモリ部２１３に格納することができる。
【００５７】
この時、第１メモリ部２１３に予め格納されたチャネル情報が存在する場合、検索されたチャネルに従うチャネル情報として更新することができる。
【００５８】
第１チャネル移動部２１４は、更新されたチャネル情報を同一の無線ネットワーク内に存在するステーションに伝送した後、更新されたチャネル情報に該当するチャネルを介してデータの送受信が行われるようにする。
【００５９】
ステーション２２０は、アクセスポイント２１０からチャネル情報を受信するチャネル情報受信部２２１と、受信されたチャネル情報を格納する第２メモリ部２２２と、受信されたチャネル情報に該当するチャネルに移動して、アクセスポイント２１０とデータの送受信が行われるようにする第２チャネル移動部２２３とを含むことができる。
【００６０】
チャネル情報受信部２２１は、チャネル検索部２１２によって検索されたチャネルに関するチャネル周波数およびチャネルスイッチ時間などのチャネル情報を受信することができる。
【００６１】
この時、チャネル情報受信部２２１は、受信されたチャネル情報と第２メモリ部２２２に予め格納されたチャネル情報が異なる場合、受信したチャネル情報に更新することができる。
【００６２】
第２チャネル移動部２２３は、チャネル情報受信部２２１で受信したチャネル情報に該当するチャネルに移動して、アクセスポイント２１０とデータを送受信することができるようにする。
【００６３】
本発明の実施形態で、第１メモリ部２１３および第２メモリ部２２２は、キャッシュ、ＲＯＭ、ＰＲＯＭ、ＥＰＲＯＭ、ＥＥＰＲＯＭ、フラッシュ、ＳＲＡＭおよびＤＲＡＭのような形態の装置が含まれ得るが、これらに限定されない。
【００６４】
上記のように構成された本発明の実施形態に係る無線ネットワーク装置を用いたチャネル移動方法を詳しく見ると次の通りである。
【００６５】
図６は、本発明の実施形態によりアクセスポイントでデータ送受信時に用いられるチャネルを移動する方法が示された図面である。
【００６６】
図に示すように、先ずビーコンフレームチェック部２１１で現在のチャネルを介してビーコンフレームを伝送し（Ｓ１１０）、ビーコンフレームの伝送を失敗したか否かを判断する（Ｓ１２０）。
【００６７】
このようなビーコンフレームの伝送を失敗したか否かは、アクセスポイント２１０からビーコンフレームの伝送時に発生するビーコンフレームの割込によって判断することができる。
【００６８】
判断の結果、ビーコンフレームの伝送を失敗した場合、ビーコンフレームチェック部２１１はビーコンフレームの伝送失敗回数を１回増加させ（Ｓ１３０）、増加したビーコンフレームの伝送失敗回数と基準失敗回数とを比較する（Ｓ１４０）。
【００６９】
比較の結果、ビーコンフレームの伝送失敗回数が基準失敗回数を超過する場合、チャネル検索部２１２は、事前に指定された検索条件に従って現在のチャネル以外の他のチャネルを検索する（Ｓ１５０）。
【００７０】
この時、チャネル検索部２１２は、使用可能チャネルリストを生成し、生成された使用可能チャネルリストから事前に指定された検索条件に符合するチャネルを検索することができる。
【００７１】
例えば、現在のチャネルから最も遠距離に存在するか、隣接したチャネルが存在しないチャネルを検索することができるが、これらに限定されない。
【００７２】
チャネル検索の結果、該当検索条件に符合するチャネルが検索された場合、チャネル検索部２１２は、第１メモリ部２１３に格納されたチャネル情報を検索されたチャネルに関するチャネル周波数およびチャネルスイッチ時間などのチャネル情報に更新する（Ｓ１６０）。
【００７３】
また、第１チャネル移動部２１４は、更新されたチャネル情報をステーション２２０に伝送し（Ｓ１７０）、第１チャネル移動部２１４は更新されたチャネル情報に該当するチャネルにアクセスポイント２１０を移動させる（Ｓ１８０）。
【００７４】
以後、ビーコンフレームの失敗回数をリセットし（Ｓ１９０）、移動したチャネルを介してステーション２２０とデータの送受信を行うようになる。
【００７５】
図７は、アクセスポイント２１０によってデータが送受信されるチャネルが移動した場合、アクセスポイント２１０とデータを送受信するステーション２２０のチャネル移動方法を示している。
【００７６】
図に示すように、先ずチャネル情報受信部２２１は、アクセスポイント２１０からチャネル情報を受信する（Ｓ２１０）。
【００７７】
この時、チャネル情報の受信は、所定周期ごとに受信されることもでき、チャネル情報が更新される時ごとに受信されることもできる。
【００７８】
チャネル情報受信部２２１は、受信されたチャネル情報を第２メモリ部２２２に予め格納されたチャネル情報と比較して受信されたチャネル情報が更新されたものであるかの有無を判断する（Ｓ２２０）。
【００７９】
比較の結果、受信されたチャネル情報が更新された場合、チャネル情報受信部２２１は、第２メモリ部２２２に格納されたチャネル情報を受信したチャネル情報に更新する（Ｓ２３０）。
【００８０】
チャネル移動部２２３は、更新されたチャネル情報に含まれたチャネル周波数およびチャネルスイッチ時間などを確認し、チャネルの移動が要求される場合に更新されたチャネル情報に従ってチャネルを移動する（Ｓ２４０）。
【００８１】
この時、チャネル移動部２２３は、更新されたチャネル情報に該当するチャネル周波数によって該当チャネルスイッチ時間に移動する。
【００８２】
以後、ステーション２２０は、チャネル移動部２２３によって移動したチャネルを介してアクセスポイント２１０とデータの送受信を行うようになる。
【００８３】
以上のように、本発明に係る無線ネットワーク装置およびそれを用いたチャネル移動方法を例示する図面を参照しながら説明したが、本明細書に開示された実施形態と図面に本発明は限定されず、その発明の技術思想の範囲内で当業者によって多様な変形が可能であることは明らかである。
【図面の簡単な説明】
【００８４】
【図１】一般的なＰＣＦ方式によりステーション間にデータを伝送する過程が示された図である。
【図２】一般的なＤＣＦ方式のバックオフ手続きが示された図である。
【図３】複数の無線ネットワークが同一のチャネルを介してデータ送受信時の該当チャネルの全体帯域幅および各無線ネットワークのデータ伝送率が示された図である。
【図４】本発明に適用される無線ネットワークが示された図である。
【図５】本発明の実施形態に係る無線ネットワーク装置が示された図である。
【図６】本発明の実施形態によりアクセスポイントでデータ送受信時に用いられるチャネルを移動する方法が示された図である。
【図７】本発明の実施形態によりアクセスポイントとデータを送受信するステーションのチャネル移動方法が示された図である。
【図１】
2008511242.tif 000003
【図２】
2008511242.tif 000004
【図３】
2008511242.tif 000005
【図４】
2008511242.tif 000006
【図５】
2008511242.tif 000007
【図６】
2008511242.tif 000008
【図７】
2008511242.tif 000009
【国際調査報告】
2008511242.tif 000010
2008511242.tif 000011